【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】
被写体撮影信号を、複数の被写体分光反射率データを含むデータベースと、カラー撮影手段の分光感度と、撮影照明光のスペクトルと、観察照明光のスペクトルと、等色関数とを用いてカラー画像出力手段の信号に変換するカラー画像処理装置を持つ色再現システムにおいて、
前記カラー画像処理装置は、
前記複数の被写体分光反射率データと前記カラー撮影手段の分光感度と前記撮影照明光のスペクトルとを用いて、複数の被写体分光反射率データに係る撮影信号を算出し、
前記被写体撮影信号と前記被写体分光反射率データに係る撮影信号との関係に応じて、前記カラー画像出力手段の信号への変換で用いる複数の被写体分光反射率データを切り替えて用いることを特徴とする色再現システム。
【請求項２】
被写体撮影信号を、複数の被写体分光反射率データを含むデータベースと、分光反射率が既知の対象物の撮影信号と、前記対象物の分光反射率データと、観察照明光のスペクトルと、等色関数とを用いてカラー画像出力手段の信号に変換するカラー画像処理装置を持つ色再現システムにおいて、
前記カラー画像処理装置は、
前記複数の被写体分光反射率データと前記対象物の撮影信号と前記対象物の分光反射率データとを用いて、複数の被写体分光反射率データに係る撮影信号を算出し、
前記被写体撮影信号と前記被写体分光反射率データに係る撮影信号との関係に応じて、前記カラー画像出力手段の信号への変換で用いる複数の被写体分光反射率データを切り替えて用いることを特徴とする色再現システム。
【請求項３】
前記カラー画像処理装置は、前記被写体撮影信号と前記複数の分光反射率データに係る撮影信号との距離に応じて複数の被写体分光反射率データを選択して用いることにより、前記カラー画像出力手段の信号への変換で用いる複数の被写体分光反射率データを切り替えることを特徴とする請求項１または請求項２に記載の色再現システム。
【請求項４】
被写体撮影信号を、複数の被写体分光反射率データを含むデータベースと、カラー撮影手段の分光感度と、撮影照明光のスペクトルと、観察照明光のスペクトルと、等色関数とを用いてカラー画像出力手段の信号に変換するカラー画像処理装置を持つ色再現システムにおいて、
前記カラー画像処理装置は、
前記複数の被写体分光反射率データと前記カラー撮影手段の分光感度と前記撮影照明光のスペクトルとを用いて、複数の被写体分光反射率データに係る撮影信号を算出する撮影信号算出手段と、
前記被写体撮影信号と対応するサンプル撮影信号と前記被写体分光反射率データに係る撮影信号との関係に応じて複数の被写体分光反射率データを切り替えて用いることにより算出した前記カラー画像出力手段の信号と、前記サンプル撮影信号とを対応付けたテーブルデータを算出するテーブルデータ算出手段と、
前記テーブルデータを予め記憶する記憶手段と、
前記被写体撮影信号に基づいて前記テーブルデータを参照して、前記被写体撮影信号を前記カラー画像出力手段の信号に変換する色変換手段と、
を備えることを特徴とする色再現システム。
【請求項５】
被写体撮影信号を、複数の被写体分光反射率データを含むデータベースと、分光反射率が既知の対象物の撮影信号と、前記対象物の分光反射率データと、観察照明光のスペクトルと、等色関数とを用いてカラー画像出力手段の信号に変換するカラー画像処理装置を持つ色再現システムにおいて、
前記カラー画像処理装置は、
前記複数の被写体分光反射率データと前記対象物の撮影信号と前記対象物の分光反射率データとを用いて、複数の被写体分光反射率データに係る撮影信号を算出する撮影信号算出手段と、
前記被写体撮影信号と対応するサンプル撮影信号と前記被写体分光反射率データに係る撮影信号との関係に応じて複数の被写体分光反射率データを切り替えて用いることにより算出した前記カラー画像出力手段の信号と、前記サンプル撮影信号とを対応付けたテーブルデータを算出するテーブルデータ算出手段と、
前記テーブルデータを予め記憶する記憶手段と、
前記被写体撮影信号に基づいて前記テーブルデータを参照して、前記被写体撮影信号を前記カラー画像出力手段の信号に変換する色変換手段と、
を備えることを特徴とする色再現システム。
【請求項６】
前記テーブルデータ算出手段は、前記カラー画像出力手段の信号を算出する際に、前記被写体撮影信号と対応する前記サンプル撮影信号と前記被写体分光反射率データに係る撮影信号との距離に応じて複数の被写体分光反射率データを選択し、選択された前記複数の被写体分光反射率データに基づいて前記カラー画像出力手段の信号を算出することを特徴とする請求項４または請求項５に記載の色再現システム。
【手続補正２】
【補正対象書類名】明細書
【補正対象項目名】０００８
【補正方法】変更
【補正の内容】
【０００８】
【課題を解決するための手段】
本発明の色再現システムの第１の態様は、被写体撮影信号を、複数の被写体分光反射率データを含むデータベースと、カラー撮影手段の分光感度と、撮影照明光のスペクトルと、観察照明光のスペクトルと、等色関数とを用いてカラー画像出力手段の信号に変換するカラー画像処理装置を持つ色再現システムにおいて、前記カラー画像処理装置は、前記複数の被写体分光反射率データと前記カラー撮影手段の分光感度と前記撮影照明光のスペクトルとを用いて、複数の被写体分光反射率データに係る撮影信号を算出し、前記被写体撮影信号と前記被写体分光反射率データに係る撮影信号との関係に応じて、前記カラー画像出力手段の信号への変換で用いる複数の被写体分光反射率データを切り替えて用いることを特徴とする。
【手続補正３】
【補正対象書類名】明細書
【補正対象項目名】０００９
【補正方法】変更
【補正の内容】
【０００９】
本発明の色再現システムの第２の態様は、被写体撮影信号を、複数の被写体分光反射率データを含むデータベースと、分光反射率が既知の対象物の撮影信号と、前記対象物の分光反射率データと、観察照明光のスペクトルと、等色関数とを用いてカラー画像出力手段の信号に変換するカラー画像処理装置を持つ色再現システムにおいて、前記カラー画像処理装置は、前記複数の被写体分光反射率データと前記対象物の撮影信号と前記対象物の分光反射率データとを用いて、複数の被写体分光反射率データに係る撮影信号を算出し、前記被写体撮影信号と前記被写体分光反射率データに係る撮影信号との関係に応じて、前記カラー画像出力手段の信号への変換で用いる複数の被写体分光反射率データを切り替えて用いることを特徴とする。
【手続補正４】
【補正対象書類名】明細書
【補正対象項目名】００１０
【補正方法】変更
【補正の内容】
【００１０】
より具体的には、前記の本発明の色再現システムの第１の態様または第２の態様において、前記カラー画像処理装置は、前記被写体撮影信号と前記複数の分光反射率データに係る撮影信号との距離に応じて複数の被写体分光反射率データを選択して用いることにより、前記カラー画像出力手段の信号への変換で用いる複数の被写体分光反射率データを切り替える。
【手続補正５】
【補正対象書類名】明細書
【補正対象項目名】００１１
【補正方法】変更
【補正の内容】
【００１１】
本発明の色再現システムの第３の態様は、被写体撮影信号を、複数の被写体分光反射率データを含むデータベースと、カラー撮影手段の分光感度と、撮影照明光のスペクトルと、観察照明光のスペクトルと、等色関数とを用いてカラー画像出力手段の信号に変換するカラー画像処理装置を持つ色再現システムにおいて、前記カラー画像処理装置は、前記複数の被写体分光反射率データと前記カラー撮影手段の分光感度と前記撮影照明光のスペクトルとを用いて、複数の被写体分光反射率データに係る撮影信号を算出する撮影信号算出手段と、前記被写体撮影信号と対応するサンプル撮影信号と前記被写体分光反射率データに係る撮影信号との関係に応じて複数の被写体分光反射率データを切り替えて用いることにより算出した前記カラー画像出力手段の信号と、前記サンプル撮影信号とを対応付けたテーブルデータを算出するテーブルデータ算出手段と、前記テーブルデータを予め記憶する記憶手段と、前記被写体撮影信号に基づいて前記テーブルデータを参照して、前記被写体撮影信号を前記カラー画像出力手段の信号に変換する色変換手段と、を備えることを特徴とする。
【手続補正６】
【補正対象書類名】明細書
【補正対象項目名】００１２
【補正方法】変更
【補正の内容】
【００１２】
本発明の色再現システムの第４の態様は、被写体撮影信号を、複数の被写体分光反射率データを含むデータベースと、分光反射率が既知の対象物の撮影信号と、前記対象物の分光反射率データと、観察照明光のスペクトルと、等色関数とを用いてカラー画像出力手段の信号に変換するカラー画像処理装置を持つ色再現システムにおいて、前記カラー画像処理装置は、前記複数の被写体分光反射率データと前記対象物の撮影信号と前記対象物の分光反射率データとを用いて、複数の被写体分光反射率データに係る撮影信号を算出する撮影信号算出手段と、前記被写体撮影信号と対応するサンプル撮影信号と前記被写体分光反射率データに係る撮影信号との関係に応じて複数の被写体分光反射率データを切り替えて用いることにより算出した前記カラー画像出力手段の信号と、前記サンプル撮影信号とを対応付けたテーブルデータを算出するテーブルデータ算出手段と、前記テーブルデータを予め記憶する記憶手段と、前記被写体撮影信号に基づいて前記テーブルデータを参照して、前記被写体撮影信号を前記カラー画像出力手段の信号に変換する色変換手段と、を備えることを特徴とする。
【手続補正７】
【補正対象書類名】明細書
【補正対象項目名】００１３
【補正方法】変更
【補正の内容】
【００１３】
より具体的には、前記の本発明の色再現システムの第３の態様または第４の態様において、前記テーブルデータ算出手段は、前記カラー画像出力手段の信号を算出する際に、前記被写体撮影信号と対応する前記サンプル撮影信号と前記被写体分光反射率データに係る撮影信号との距離に応じて複数の被写体分光反射率データを選択し、選択された前記複数の被写体分光反射率データに基づいて前記カラー画像出力手段の信号を算出することを特徴とする。